(57)【要約】【課題】脱落防止機能がない埋め込みコンセントに専門家の電気工事を必要とせず、ＡＣコード脱落防止機能を容易に付加可能な埋め込みコンセント用ＡＣコード脱落防止具を提供する。【解決手段】既設のプレートとプレート枠に換装可能な既設埋め込みコンセントに外観が近く、固定具係止機能を具えた装着具を換装用プレートとして実現し、同時にＡＣプラグを捕捉して装着具に固定する方法で埋め込みコンセント用ＡＣコード脱落防止具を実現した。種類や形状が様々に多いＡＣプラグの捕捉はボールチェーンの球体の通過、阻止機能を組み込んだ押さえ具でサイズ可変とし、現用のＡＣコードを交換なしに利用可能にした。【選択図】図１
2014075199.tif 000002
【特許請求の範囲】
【請求項１】
埋め込みコンセントに挿しこまれたＡＣコードのプラグがコンセントから不用意に抜けて脱落することを防止するＡＣコード脱落防止具において、
既設埋め込みコンセントに具えられたコンセント器具モジュールごとに１対の固定具係止帯用かけ具を表面長手周囲縁部付近に具え、既設埋め込みコンセントのプレート枠固定メス螺子にオス螺子を捩じ込むことが可能な１対の装着具固定オス螺子用貫通孔を表面短手周囲縁部付近に具えた既設の埋め込みコンセントのプレート及びプレート枠に換装可能な装着具と、
ＡＣコードごとにプラグを捕捉して装着具の固定具係止帯用かけ具に固定する１対に固定具係止帯を具えた固定具と、
装着具を既設埋め込みコンセントに螺子止め固定する装着具固定オス螺子２本とから成ることを特徴とする埋め込みコンセント用のＡＣコード脱落防止具。
【請求項２】
前記装着具は、
前記器具モジュールごとに具えた１対の固定具係止帯用かけ具が固定具の使用時は装着具の前面に引き出せ、不使用時は装着具表面近くに押し込むことが可能なことを特徴とする請求項１の埋め込みコンセント用ＡＣコード脱落防止具。
【請求項３】
前記固定具は、
ボールチェーンの球体が自由に通過可能な孔と自由に通過できない孔を連結した１対の略瓢箪型通し穴を具えた１対の可撓性板状材と、向かい合わせた前記可撓性板状材の向かい合う前記通し穴を貫通して前記可撓性板状材に鋏まれた区間の長さが可変可能な１対のボールチェーンの区間とが形成する形状の可変が可能で寸法の調節が可能な略四辺形によりＡＣコードのプラグを捕捉し、前記可撓性板状材にの夫々に固定具係止帯が固定されていることを特徴とする請求項１および請求項２の埋め込みコンセント用ＡＣコード脱落防止具。
【発明の詳細な説明】
【技術分野】
【０００１】
本発明は、例えば壁面に埋め込まれた埋め込みコンセントに挿しこまれたＡＣコードがコンセントから不容易に脱落することを防止するＡＣコード脱落防止具に関するものである。 
【背景技術】
【０００２】
ＡＣコードの脱落防止に関して、家庭や事務所などに用いられる埋め込みコンセントには脱落防止機能がない一般型と挿し込みプラグを差し込んだ後で捻って脱落防止する捻回式とがある。 埋め込みコンセント設置時の電設工事に際して特に要求しない場合、脱落防止機能がない一般型が用いられている。
【０００３】
（１）前記一般型の埋め込みコンセントが使用されている場合、ＡＣコードのプラグが容易に抜け落ちないようにするにはコンセントを捻回式に交換することで実現可能だが、捻回式コンセント自体は比較的安価に入手できても、コンセントを交換する場合は専門家による電気工事に費用がかかるので、実際には交換が容易でない。 
【０００４】
（２）埋め込みコンセントは室内内装具としての性格も併せ持ち、壁面に馴染んで目立たない形態が好まれ、コンセント表面露出部とその周囲を覆うプレートとは共にほぼ同一平面を形成し凹凸がなく、プラグ栓刃が挿入孔に挿入でき、プラグが装着できる以外は埋め込みコンセント表面になんら係止機能が無くＡＣコード脱落防止具の追加装着が困難であった。
しかし、以上を改善するものとして、
【０００５】
（３）先行特許文献に示す一般型埋め込みコンセントに交換用プレートを装着してＡＣコンセントの抜け止め機能を実現する考案がされている。考案では形状が角張った天蓋開放箱状の突起を壁面に設けるため、特にＡＣコードが差し込まれていない状態では角部が最突出部となり近傍を通る者の身体を傷つける可能性があった。また交換プレートの装着前と装着後とでコンセントの景観が大きく異なる難点があった。
また、
【０００６】
機能的にもＡＣコードの抜け止めを、部分的に開口したままのフックに係止して実現する方式のため、コードが開口部から抜け出る可能性があり目的を達成できないことがある。ＡＣコードがフックに掛かった状態において強く引かれればフックが片腕形状のためフックが折れ曲がり易い欠点があった。
更に、
【０００７】
交換用プレートの裏面は特別な配慮がなく平坦にして考案されているが、相対する埋め込みコンセントは絶縁取り付け枠の補強片がプレート枠固定メス螺子孔位置以上に突出している場合、平面である交換プレート裏面と前記の補強片は空間競合関係にある。突出部である前記の補強片の位置や形状は埋め込みコンセントの型番ごとに多少の差異がある可能性があり、考案の交換プレートは既設埋め込みコンセントに安定な装着ができず、交換プレートと壁面との間には空隙も生じるため配電接続部に異物を挿入可能で危険性があり不都合であった。
【０００８】
上記の理由により、前記の特許文献に示された一般形埋め込みコンセント用の交換プレートは容易には利用しにくく、普及していない。
【先行技術文献】
【特許文献】
【０００９】
【特許文献１】実用新案２００１-７９１６
【発明の概要】
【発明が解決しようとする課題】
【００１０】
家庭や事務所その他に設置されている埋め込みコンセントはＡＣコードの脱落防止機能がないものが大半であり、様々な機器や設備が電源を受けるために脱落防止機能なしに埋め込みコンセントにＡＣコードのプラグを挿して接続される。これら機器の中には予期せぬ電源断が生じれば回復不可能な、或いはこれに準する重大な結果を招くにも拘らず捻回型などの脱落防止機能を具えたコンセント以外から受電している情報処理、医療、介護、インフラ機器など、或いは無停電電源装置などが多くあった。一般型埋め込みコンセントにはＡＣプラグが挿し込める以外に器具などを装着する手段が用意されていないためＡＣコード脱落防止具の装着が困難であり、一般型から捻回型へのコンセントの交換には専門家による電気工事が必要で容易でなく、従来は、ＡＣコードの脱落を危惧しながらＡＣコード脱落防止手段が講じられないまま利用し続けられている埋め込みコンセントが多数あり、既存の一般型の埋め込みコンセントに安全で安定に違和感なく容易に且つ経済的に装着でき、同時に受電側の機器や設備のＡＣコードを交換する必要がないＡＣコード脱落防止具の提供が強く待たれていた。
【００１１】
本発明は、上記に鑑み、
【００１２】
ＡＣコード脱落防止の機能がない一般型の既設埋め込みコンセントに装着できるＡＣコード脱落防止具であって、
（１）専門家による電気工事を必要とせず経済的に設置でき、
（２）受電機器や設備のＡＣコードを交換する必要がなく、
（３）プレート裏面の埋め込みコンセントの相対する部位に立体的な凸部があっても影響されず安定な設置ができ、
（４）埋め込みコンセントの外観を損ねず違和感無く、硬く角張った危険な突起を壁面に設けず安全に、ＡＣコード脱落防止機能を既設、新設を問わず埋め込みコンセントに容易に装着できるＡＣコード脱落防止具を提供することを課題とした。
【課題を解決するための手段】
【００１３】
上記目的を達成するための本発明の一般型の埋め込みコンセント用のＡＣコード脱落防止具は、それ自身が壁面などに設置された埋め込みコンセントの露出部であり、一般使用者が充電部位に触れないよう配電部を覆うと同時にコンセントなどの器具モジュールを露出させる開口部を具えたプレートと、前記プレートを容易に埋め込みコンセントに装着可能にするためのプレート枠とが専門家による電気工事を必要とせずに着脱できることに着目し、
埋め込みコンセントのプレートとプレート枠とに換装可能な装着具１枚と、ＡＣコードのプラグ部を捕捉して装着具に固定する固定具１式と、前記の換装した装着具を埋め込みコンセントに固定するための装着具固定オス螺子２本で構成し、
【００１４】
装着具は、
埋め込みコンセントのプレートとプレート枠の集合体に近似させた略長方形の板厚がある形状とし、前記略長方形の短手各辺の中央部近傍付近の夫々に装着具固定オス螺子を貫通させて埋め込みコンセントのプレート枠固定メス螺子にねじ込むための装着具固定オス螺子用貫通孔を具え、前記長方形の長手各辺付近には捕捉したＡＣコードを固定するための固定具係止帯用掛け具をコンセントモジュール毎に１対具え、前記の既設埋め込みコンセントのプレートとプレート枠とに換装固定してＡＣコード脱落防止具を既存の埋め込みコンセントに装着可能にする。
また、
【００１５】
装着具は、壁面に接する周囲四辺より中央部が手前に凹んだ裏面の形状として装着具の裏面に相対する埋め込みコンセントの突出部との空間競合を避ける十分な空間を設けることで、装着具裏面に相対する埋め込みコンセントの部位にコンセント露出用開口部以外の例えば絶縁取り付け枠の補強片のような突出部があっても影響されず安定な設置を可能にする。
更にまた、
【００１６】
装着具は、装着具固定オス螺子貫通孔と固定具係止帯掛け具とが埋め込みコンセントのプレートとプレート枠の集合体に近時した外形に加えられた形状とすることで換装による埋め込みコンセントの景観を大きく損ねることが少なく、硬く角張って突出した危険な突起を壁面に設けない形状にする。
【００１７】
固定具は、
可撓性の板状材とボールチェーンとで変形可能で寸法調節可能にすることにより様々に異なる形状と寸法とを持つＡＣプラグを柔軟に捕捉する押し付け具と前記の板状材の各々に固着した固定具係止帯に面ファスナを設けて構成し、固定具係止帯を前記装着具に具えた固定具係止帯用掛け具に掛けまわし折り返し位置を調節しながら前記の押し付け具でＡＣプラグを前記装着具方向に押し付けながら面ファスナを合わせて押圧して装着具に一体化することでコンセントモジュール表面からＡＣプラグの肩部までが異なるＡＣプラグに対応可能にして、現用のＡＣコードを交換する必要をなくす。
【００１８】
装着具固定オス螺子は、装着具の装着具固定オス螺子貫通孔を貫通して埋め込みコンセントのプレート枠固定メス螺子孔にねじ込んで装着具を固定できる長さとする。
【発明の効果】
【００１９】
本発明の埋め込みコンセント用ＡＣコード脱落防止具を用いると、ＡＣコード脱落防止機能がない一般型の埋め込みコンセントに、
（１）専門家による電気工事を必要とせず経済的に、
（２）受電側の現用機器や設備のＡＣコードの交換を必要とせず、
（３）既存埋め込みコンセントの補強片との空間競合がなく安定に、
（４）埋め込みコンセントの外観を損ねず違和感無く、
（５）硬く角張った危険な突起を壁面に設けることなく安全に、
（６）既設、新設を問わず埋め込みコンセントに容易に、
ＡＣコードの脱落防止機能を付加できる効果があり、ＡＣコード脱落防止具の提供が可能になる。
【図面の簡単な説明】
【００２０】
【図１】本発明のＡＣコード脱落防止具の使用時の状態を示す外観斜視図である。
【図２】既設のプレートとプレート枠とが本発明のＡＣコード脱落防止具の装着具で互換可能な様子を示した外観斜視図である。
【図３】（Ａ）は本発明のＡＣコード脱落防止具を装着具と固定具に分けた外観斜視図であり、（Ｂ）固定具係止帯掛け具の分解斜視図であり、（Ｃ）は可撓性板状部材に設えられた通し孔の様子を示した説明図である。
【図４】本発明のＡＣコード脱落防止具を装着した埋め込みコンセントのコンセント位置の水平断面図である。
【発明を実施するための形態】
【００２１】
本発明は、例えば壁面に埋め込まれた埋め込みコンセントに挿しこまれたＡＣコードがコンセントから不用意に脱落することを防止するＡＣコード脱落防止具において実現された。
【実施例１】
【００２２】
図１から図４を参照して本発明の実施例１を説明する。
【００２３】
図１は本発明の埋め込みコンセント用ＡＣコード脱落防止具の状態を示す外観斜視図であり、コンセント１０１に差し込まれたプラグ２０５が本発明のＡＣコード脱落防止具１０により脱落防止される直前の様子を示し、固定具係止帯３１を緩みなく引きながら固定具係止帯３１の同一面に間隔を置いて固着した面ファスナ３１ａ，３１ｂを合わせて両者を押圧することでＡＣコード２００のコンセント１０１からの脱落防止が完了する。
図２は埋め込みコンセントから既存のプレート枠１１０とプレート１２０を外すと本発明のＡＣコード脱落防止具１０の装着具２０が装着プレート枠１１０とプレート１２０に成り代わって装着さきることを示している。理解しやすくするため設置壁面の図示を省略した。
図３（Ａ）は本発明のＡＣコード脱落防止具１０の全体の構成を示している。図３（Ｂ）は固定具係止帯掛け具２６の詳細を示し、図３（Ｃ）は固定具３０の中央部の押さえ具３９の構成要素の可撓性板状材３３の詳細説明図である。
図４は壁面３００に設置され、既に取り外され図示されていないプレート１２０とプレート枠１１０に換えて装着した装着具２０の、コンセント器具モジュール、例えばコンセント１０１、の栓刃位置の水平断面図であり、固定具係止帯掛け具２６の組込み状態と、絶縁取り付け枠の補強片と装着具が空間競合問題を解決している状態を示す。この図では理解しやすくするため電気的には重要だが各部の位置関係の説明には意味がないコンセントの栓刃、その他の電気回路要素の図示は省略した。
【００２４】
本発明のＡＣコード脱落防止具１０は、図３（Ａ）に示すとおり、
１枚の装着具２０と、１組の固定具３０と、２本の装着具固定オス螺子４０，４０からなる。
【００２５】
図２に示すとおり装着具２０は、ＡＣコード脱落防止具１０の装着対象である埋め込みコンセントのプレート１２０とプレート枠１１０との集合体に近似させてほぼ同形同寸法にし、プレート枠固定メス螺子１１５，１１５と同位置に装着具固定オス螺子貫通孔２９，２９を設けて、硬度ある材質の材料を用いて成形した。２つの装着具固定オス螺子貫通孔２９，２９に装着具固定オス螺子４０，４０のオス螺子部を貫通させ、埋め込みコンセントの絶縁取り付け枠１００のプレート枠固定メス螺子１０５，１０５に夫々螺子止め固定できる。図面では装着具固定オス螺子４０，４０は一貫してローレトツマミ付を用いているが、一般的なトラス螺子系の薄頭螺子などを使用しても良い。
【００２６】
装着具２０の表面部２１中央部には、コンセントなど器具モジュール１０１，１０２，１０３用の露出用開口部２５が設けられ、図１に示すように各器具モジュール１０１，１０２，１０３毎に装着具表面２１の両脇付近に固定具係止帯掛け具２６を各１対づつ設けた。
【００２７】
図３（Ｂ）に示すように、実施例１の固定具係止帯掛け具２６は略コの字状の強度ある例えばステンレス鋼や真鍮材製のワイヤ状とし、その両末端付近の外周に沿ってトメワ止めの細溝２８，２８が設えられ、装着具２０の表面部２１に設えられた各固定具係止帯掛け具２６ごとに、ワイヤ径より僅かに大きな直径の２つの固定具係止帯掛け具貫通丸孔を設け、前記コの字の両脚部を装着具表面２１から裏面に貫通させた後、各々にトメワ２７を装着した。トメワ２７は例えばプッシュナットが好ましく、装着後は前記の細溝２８にトメワの中心孔縁部が食い込み、固定具係止帯掛け具２６は前後に移動可能だが装着具２０から抜け外れることをなくした。 固定具係止帯掛け具２６は前後に移動できるので、プラグ２０５を差し込まない例えば図１のコンセント器具１０３の如き不使用のコンセントモジュールに対応する固定具係止帯掛け具２６は押し込んでおくことができ邪魔にならず都合よく、必要なときはいつでも手前に引き出すことができるため、外観上の違和感も少なくできる。
【００２８】
固定具３０は中程に１対の向かい合う２枚の可撓性板状材３３，３３と可撓性板状材３３，３３に設えた２個のボールチェーン通し孔３８，３８を順に通して末端をボールチェーンコネクタで結合して環状にした１本のボールチェーン３４で構成する押さえ具３９を具え、それぞれの可撓性板状材３３，３３の通し穴近３８，３８傍の辺に向かい合う辺の近傍に固定具係止帯３１が夫々に例えば溶着などで固定されている。図３（Ｃ）のごとく、１枚の可撓性板状材３３には１対の通し穴３８，３８があり、夫々は大きな円形穴３５と小さな円形孔３７が細い線状孔３６で連結されている。大きな円形穴３５はボールチェーン３４の各球体が容易で自在に通り抜けられる直径を具え、小さな円形孔３７はボールチェーン３４の各球体が通れない直径を具え、球体間を連結する細い線状孔３６はボールチェーン３４の紐部の直径と同じ幅とした。
【００２９】
押さえ具３９は前記の可撓性板状材３３，３３の４つの通し穴３８，３８，３８，３８，３８にボールチェーン３４を順に貫通させ、ボールチェーン３４の両端は例えばボールチェーンコネクタで接続し、ボールチェーン３４が前記板状材３３，３３から分離して紛失することを防いだ。ＡＣコード２００に押さえ具３９を装着するには適当な可撓性板状材３３を通るボールチェーン３４の紐部を大きな円形穴３６に移動し、２枚の可撓性板状材３３，３３と、これら可撓性板状材３３，３３に挟まれてできた閉じた略四辺形の大きさを広げプラグ２０５を通した後に同様の操作で閉じた略四辺形の大きさをプラグが抜け落ちないよう適度に縮めて調製し、調製完了後にボールチェーン３４の紐部を小さな円形孔３７に移動すれば、ＡＣプラグは前記略四辺形に補足された状態が維持される。１枚の可撓性板状材３３上の２つの通し穴３８，３８の小さな丸穴３７，３７の間隔はＡＣプラグの形部の厚み寸法以下であることが適当で、例えば８ミリメートル程度であっても良い。
【００３０】
ＡＣコードの脱落を防止するには固定具３０を装着したプラグ２０５を図１に示すように例えばコンセント１０１に挿し込み、固定具３０を構成する押さえ具３９の両端の固定具係止帯３１，３１のそれぞれの先端をコンセントに対応した左右の固定具係止帯掛け具２６，２６に掛け回し、緩みがないようにその先端を引きながら、固定具係止帯３１，３１の手前面に間隔を置いて固着した面ファスナのフック部３１ｂとループ部３１ａを合わせて押圧すれば良い。また、脱落防止を解除するには固定具係止帯３１，３１の面ファスナのフック部３１ｂとループ部３１ａを引き剥がす様に引け離せばよい。
【符号の説明】
【００３１】
１０  埋め込みコンセント用ＡＣコード脱落防止具
２０  装着具
２１  装着具露出面
２５  器具露出用開口部
２６  固定具係止帯掛け具
２７  トメワ（プッシュナット）
２８  トメワ溝
２９  装着具固定オス螺子貫通孔
３０  固定具
３１  固定具係止帯
３１ａ，３１ｂ  面ファスナフック面、面ファスナループ面
３３  可撓性板状材
３４  押し付け具のボールチェーン
３５  通し孔の大きな丸孔（可動孔）
３６  通し孔の連絡線孔（連結亜スリット）
３７  通し孔の小さな丸孔（捕捉孔孔）
３８  通し孔
３９  押さえ具
４０  装着具固定オス螺子
１００  絶縁取り付け枠
１０１，１０２，１０３  コンセント器具モジュール
１０５  プレート枠固定メス螺子
１０６  絶縁取り付け枠の補強片
１１０  既設プレート枠
１１５  プレート枠固定オス螺子
１２０  既設プレート
１５０  埋め込みコンセントボックス
２００  ＡＣコード
２０５  ＡＣプラグ
２１０  ＡＣコードのプラグ付け根
２２０  ＡＣコードのケーブル部
３００  壁板
【図１】
2014075199.tif 000003
【図２】
2014075199.tif 000004
【図３】
2014075199.tif 000005
【図４】
2014075199.tif 000006